(57)【要約】【課題】底版に軸引張力が発生することを抑止して、ＰＣ鋼材の配置数を削減することを可能にした低温液体貯蔵用タンクを提供する。【解決手段】円盤状の底版２と、底版２に下端部を剛結して立設された筒状の防液堤３と、底版２と防液堤３で囲まれた内部に配設され、低温液体を貯蔵するための貯槽と、底版２内に埋設され、貯蔵した低温液体によって周辺地盤が凍結膨張することを防止するための電気ヒータ８とを備える低温液体貯蔵用タンクＢであって、電気ヒータ８は、水平方向Ｔ１に直線状に延設するとともに、水平方向Ｔ２に所定の間隔をあけ、平行に複数配設し、且つ、各電気ヒータ８は、底版２の端部２ａ側に設けられた接続端子９に一端８ａを接続し、平面視で防液堤３の外面３ｂよりも内側の範囲に他端８ｂを配して設ける。【選択図】図１
2014015963.tif 000002
【特許請求の範囲】
【請求項１】
円盤状の底版と、該底版に下端部を剛結して立設された筒状の防液堤と、前記底版と前記防液堤で囲まれた内部に配設され、低温液体を貯蔵するための貯槽と、前記底版内に埋設され、貯蔵した前記低温液体によって周辺地盤が凍結膨張することを防止するための電気ヒータとを備える低温液体貯蔵用タンクであって、
前記電気ヒータは、水平方向に直線状に延設されるとともに、水平方向に所定の間隔をあけ、平行に複数配設されており、
且つ、各電気ヒータは、前記底版の端部側に設けられた接続端子に一端を接続し、平面視で前記防液堤の外面よりも内側の範囲に他端を配して設けられていることを特徴とする低温液体貯蔵用タンク。
【請求項２】
円盤状の底版と、該底版に下端部を剛結して立設された筒状の防液堤と、前記底版と前記防液堤で囲まれた内部に配設され、低温液体を貯蔵するための貯槽と、前記底版内に埋設され、貯蔵した前記低温液体によって周辺地盤が凍結膨張することを防止するための電気ヒータとを備える低温液体貯蔵用タンクであって、
前記電気ヒータは、前記防液堤の内部に配された中央部側で、水平方向に直線状に配設されるとともに、水平方向に所定の間隔をあけ、平行に複数配設されており、
且つ、複数の電気ヒータはそれぞれ、前記底版の端部側に配される一端側と他端側の少なくとも一方を前記底版の軸中心の放射方向に折り曲げて配設されていることを特徴とする低温液体貯蔵用タンク。
【発明の詳細な説明】
【技術分野】
【０００１】
本発明は、例えば液化天然ガス等の低温液体の貯蔵に用いられる低温液体貯蔵用タンクに関する。
【背景技術】
【０００２】
従来、図４及び図５に示すように、液化天然ガス（ＬＮＧ）、液化石油ガス（ＬＰＧ）等の低温液体１を貯蔵するためのタンク（低温液体貯蔵用タンクＡ）には、底版２と、底版２に下端部３ａを繋げて立設される円筒状の防液堤３と、底版２と防液堤３で囲まれた内部に配設される金属製の貯槽（内槽）４とを備えて構成したものがある。また、この種の低温液体貯蔵用タンクＡは、一般に、上部に平板状あるいはドーム状の屋根５を設け、さらに貯槽４と底版２、防液堤３、屋根５との間に保冷材６を設けて構築される（例えば、特許文献１参照）。
【０００３】
また、防液堤３は、貯槽４から万一低温液体１が漏洩した場合にこの低温液体１の拡散を局所化（防止）するためのものであり、その下端部３ａを底版２に剛結して設けられている。さらに、防液堤３は、プレストレストコンクリート造で構築されることが多く、周方向に配置したＰＣ鋼材（不図示）によってプレストレスを導入することにより、漏液時に低温液体１を確実に保持できるようにしている。
【０００４】
また、貯蔵した低温液体１（例えば液化天然ガスでは−１６２℃）によって周辺地盤Ｇが凍結膨張することを防止するために、底版２には底部ヒータ８が埋設されている。（例えば、特許文献２参照）。底部ヒータ８としては、温水管を用いたブラインヒータ、電気ヒータ等が用いられている。そして、従来、底部ヒータ８として電気ヒータを用いる場合には、図５に示すように、底版２の上下面に沿う水平方向の一方向Ｔ１に直線状に配設されるとともに、水平方向の一方向Ｔ１に直交する他方向Ｔ２に所定の間隔をあけて平行に複数配設される。また、底版２の片側の端部２ａに配線の接続端子（端子）９が設けられ、電気ヒータ８は、一端８ａを接続端子９に接続し、他端８ｂが底版２の端部２ａ付近に位置するように、水平方向の一方向Ｔ１に延設される。
【０００５】
また、底版２の端部（周端部）２ａ側は、外気温や底部ヒータ８の加温によって、夏季に膨張が生じ、これに伴い底版２の中央部２ｂ側には軸引張力が発生する。また、漏液時に低温液体１を保持できるように、底版２には常に圧縮領域を確保しておく必要がある。このため、底版２の端部２ａ側にも、周方向にＰＣ鋼材１０を配置してプレストレスを導入し、軸引張力を打ち消すことで圧縮領域を確保できるようにしている。
【先行技術文献】
【特許文献】
【０００６】
【特許文献１】特開２００４−１９９２０号公報
【特許文献２】特開２００１−７３３９５号公報
【発明の概要】
【発明が解決しようとする課題】
【０００７】
一方、底部ヒータ８として電気ヒータを用いた場合には、常に温めることになる。このため、底部ヒータ８として電気ヒータを用いた場合には、夏季に、外気温の影響を向ける底版２の端部２ａ側の温度が電気ヒータ８の発熱によりさらに高くなり、これに伴い底版２の中央部２ｂ側の軸引張力が大きくなる。これにより、従来では、軸引張力を打ち消すために、底版２の端部２ａ側にＰＣ鋼材１０を多く設ける必要が生じていた。
【０００８】
本発明は、上記事情に鑑み、底版に軸引張力が発生することを抑止して、ＰＣ鋼材の配置数を削減することを可能にした低温液体貯蔵用タンクを提供することを目的とする。
【課題を解決するための手段】
【０００９】
上記の目的を達するために、この発明は以下の手段を提供している。
【００１０】
本発明の低温液体貯蔵用タンクは、円盤状の底版と、該底版に下端部を剛結して立設された筒状の防液堤と、前記底版と前記防液堤で囲まれた内部に配設され、低温液体を貯蔵するための貯槽と、前記底版内に埋設され、貯蔵した前記低温液体によって周辺地盤が凍結膨張することを防止するための電気ヒータとを備える低温液体貯蔵用タンクであって、前記電気ヒータは、水平方向に直線状に延設されるとともに、水平方向に所定の間隔をあけ、平行に複数配設されており、且つ、各電気ヒータは、前記底版の端部側に設けられた接続端子に一端を接続し、平面視で前記防液堤の外面よりも内側の範囲に他端を配して設けられていることを特徴とする。
【００１１】
この発明においては、複数の電気ヒータがそれぞれ、従来と同様にその一端を底版の端部側に配しているのに対し、他端を防液堤の外面よりも内側の範囲（防液堤で囲まれた範囲）に配して設けられているため、底版の端部側における電気ヒータの発熱量を従来の半分にすることができる。
【００１２】
また、本発明の低温液体貯蔵用タンクは、円盤状の底版と、該底版に下端部を剛結して立設された筒状の防液堤と、前記底版と前記防液堤で囲まれた内部に配設され、低温液体を貯蔵するための貯槽と、前記底版内に埋設され、貯蔵した前記低温液体によって周辺地盤が凍結膨張することを防止するための電気ヒータとを備える低温液体貯蔵用タンクであって、前記電気ヒータは、前記防液堤の内部に配された中央部側で、水平方向に直線状に配設されるとともに、水平方向に所定の間隔をあけ、平行に複数配設されており、且つ、複数の電気ヒータはそれぞれ、前記底版の端部側に配される一端側と他端側の少なくとも一方を前記底版の軸中心の放射方向に折り曲げて配設されていることを特徴とする。
【００１３】
この発明においては、複数の電気ヒータがそれぞれ、底版の端部側に配される一端側と他端側の少なくとも一方を放射方向に折り曲げて配設されていることにより、従来のように水平の一方向に延びる直線状に電気ヒータを配設する場合と比較し、電気ヒータ全体の長さを短くすることができ、底版の端部側での単位面積当たりの熱量を減少させることができる。
【発明の効果】
【００１４】
本発明の低温液体貯蔵用タンクにおいては、従来と比較し、底版の端部側における電気ヒータの発熱量を少なくすることができる。これにより、底部ヒータとして電気ヒータを用いた場合であっても、底版の中央部側に生じる軸引張力を緩和することができ、この軸引張力を打ち消すためのＰＣ鋼材の配置数を削減することが可能になる。
【図面の簡単な説明】
【００１５】
【図１】本発明の第１実施形態に係る低温液体貯蔵用タンクの底版に埋設される電気ヒータの配置状態を示す断面図である。
【図２】本発明の第２実施形態に係る低温液体貯蔵用タンクの底版に埋設される電気ヒータの配置状態を示す断面図である。
【図３】本発明の第２実施形態に係る低温液体貯蔵用タンクの変形例を示す断面図である。
【図４】低温液体貯蔵用タンクを示す側断面図である。
【図５】従来の低温液体貯蔵用タンクの底版に埋設される電気ヒータの配置状態を示す断面図である。
【発明を実施するための形態】
【００１６】
以下、図１（及び図４）を参照し、本発明の第１実施形態に係る低温液体貯蔵用タンクについて説明する。本実施形態は、例えば液化天然ガス等の低温液体の貯蔵に使用されるタンクに関するものである。
【００１７】
本実施形態の低温液体貯蔵用タンクＢは、図４に示すように、従来の低温液体貯蔵用タンクＡと同様、円盤状の底版２と、円筒状の防液堤３と、低温液体１を貯蔵する金属製の貯槽４と、屋根５と、保冷材６とを備えて構築されている。また、防液堤３は、周方向に配置したＰＣ鋼材（不図示）と鉛直方向に配置したＰＣ鋼材（不図示）によって、周方向と鉛直方向にそれぞれプレストレスを導入して構築されている。
【００１８】
また、底版２は、貯槽４に貯蔵した低温液体１によって周辺地盤Ｇが凍結膨張することを防止するための底部ヒータ８を埋設して構築されている。さらに、底版２の端部２ａ側に、漏液時に低温液体１を確実に保持するためのＰＣ鋼材１０が周方向に沿って配設され、この周方向に延在するＰＣ鋼材１０によって端部２ａ側にプレストレスが導入されている。
【００１９】
一方、本実施形態の低温液体貯蔵用タンクＢでは、底部ヒータ８として電気ヒータが用いられ、電気ヒータ８は、水平方向の一方向Ｔ１に直線状に配設されるとともに、水平方向の一方向Ｔ１に直交する他方向Ｔ２に所定の間隔をあけ、平行に複数配設されている。また、このとき、各電気ヒータ８は、底版２の端部２ａ側に設けられた配線の接続端子（端子）９に一端８ａを接続し、平面視で防液堤３の外面３ｂよりも内側の範囲に他端８ｂを配して設けられている。なお、本実施形態では、各電機ヒータ８が平面視で防液堤３の内面３ｃの位置に他端８ｂを配して設けられている。さらに、底版２の軸Ｏ１を境に左右両側に配線の接続端子９が設けられ、隣り合う電気ヒータ８が左右の異なる側の接続端子９に一端８ａを接続して配設されている。
【００２０】
そして、このように構成した本実施形態の低温液体貯蔵用タンクＢにおいては、底版２の端部２ａまで他端８ｂを延ばして電気ヒータ８を配設した従来と比較し、他端８ｂを防液堤３の外面３ｂよりも内側の範囲（防液堤３で囲まれた範囲）に配して電気ヒータ８が設けられているため、底版２の端部２ａ側における電気ヒータ８の発熱量を従来の半分にすることができる。
【００２１】
よって、本実施形態の低温液体貯蔵用タンクＢによれば、従来と比較し、底版２の端部２ａ側における電気ヒータ８の発熱量を少なくすることができ、これにより、底部ヒータとして電気ヒータ８を用いた場合であっても、底版２の中央部２ｂ側に生じる軸引張力を緩和することができ、この軸引張力を打ち消すためのＰＣ鋼材１０の配置数を削減することが可能になる。
【００２２】
次に、図２（及び図４）を参照し、本発明の第２実施形態に係る低温液体貯蔵用タンクについて説明する。本実施形態は、第１実施形態と同様、例えば液化天然ガス等の低温液体の貯蔵に使用されるタンクに関するものである。
【００２３】
図４に示すように、本実施形態の低温液体貯蔵用タンクＣは、第１実施形態と同様に、円盤状の底版２と、円筒状の防液堤３と、低温液体１を貯蔵する金属製の貯槽４と、屋根５と、保冷材６とを備えて構築されている。
【００２４】
また、底版２は、貯槽４に貯蔵した低温液体１によって周辺地盤Ｇが凍結膨張することを防止するための底部ヒータ８を埋設して構築され、本実施形態においても、この底部ヒータ８として電気ヒータが用いられている。さらに、底版２の端部２ａ側に、ＰＣ鋼材１０が周方向に沿って配設され、底版２の端部２ａ側にプレストレスが導入されている。
【００２５】
一方、本実施形態の低温液体貯蔵用タンクＣでは、電気ヒータ８が、防液堤３の内部に配された中央部２ｂ側で、水平方向の一方向Ｔ１に沿って直線状に配設されるとともに、水平方向の他方向Ｔ２に所定の間隔をあけ、平行に複数配設されている。さらに、複数の電気ヒータはそれぞれ、底版２の端部２ａ側に配される一端８ａ側と他端８ｂ側の両端側を底版２の軸Ｏ１中心の放射方向に折り曲げて配設されている。なお、各電気ヒータ８の一端８ａ及び他端８ｂの両端は、底版２の端部２ａ（近傍）に配され、一端８ａが底版２の端部２ａ側に設けられた配線の接続端子９に接続されている。また、複数の電気ヒータ８は、隣り合う電気ヒータ８が左右の異なる側の接続端子９に一端８ａを接続するようにして配設されている。
【００２６】
また、本実施形態の低温液体貯蔵用タンクＣにおいては、電気ヒータ８の両端８ａ、８ｂ側を放射方向に折り曲げることで、発熱量が少なくなる範囲に電気ヒータ１１を追加し、発熱量を補うようにしている。そして、本実施形態では、この追加の電気ヒータ１１が、防液堤３の内面３ｃ付近の底版２に埋設するとともに、この内面３ｃに沿って円周状に配設するようにしている。
【００２７】
そして、このように構成した本実施形態の低温液体貯蔵用タンクＣにおいては、底版２の端部２ａから端部２ａまで水平方向の一方向Ｔ１に直線状に延ばして電気ヒータ８を配設した従来と比較し、複数の電気ヒータ８がそれぞれ、底版２の端部２ａ側に配される両端８ａ、８ｂ側を放射方向に折り曲げて配設されていることにより、複数の電気ヒータ８全体の長さを短くすることができ、底版２の端部２ａ側での単位面積当たりの熱量を減少させることができる。
【００２８】
よって、本実施形態の低温液体貯蔵用タンクＣによれば、第１実施形態と同様に、従来と比較し、底版２の端部２ａ側における電気ヒータ８の発熱量を少なくすることができ、これにより、底部ヒータとして電気ヒータ８を用いた場合であっても、底版２の中央部２ｂ側に生じる軸引張力を緩和することができ、この軸引張力を打ち消すためのＰＣ鋼材１０の配置数を削減することが可能になる。
【００２９】
以上、本発明に係る低温液体貯蔵用タンクの第１、第２実施形態について説明したが、本発明は上記の実施形態に限定されるものではなく、その趣旨を逸脱しない範囲で適宜変更可能である。
【００３０】
例えば、第２実施形態では、複数の電気ヒータがそれぞれ、底版２の端部２ａ側に配される一端８ａ側と他端８ｂ側の両端側を底版２の軸Ｏ１中心の放射方向に折り曲げて配設されているものとして説明を行った。
【００３１】
これに対し、本発明においては、図３に示すように、複数の電気ヒータがそれぞれ、底版２の端部２ａ側に配される一端８ａ側と他端８ｂ側の少なくとも一方を（図３では一端８ａ側）底版２の軸Ｏ１中心の放射方向に折り曲げて配設するようにしてもよい。そして、この場合においても、第２実施形態と同様、複数の電気ヒータ８がそれぞれ、底版２の端部２ａ側に配される一端８ａ側を放射方向に折り曲げて配設されていることにより、複数の電気ヒータ８全体の長さを短くすることができ、底版２の端部２ａ側での単位面積当たりの熱量を減少させることができる。さらに、必要によっては他端８ｂ側を、第１の実施形態のように防液堤３の外面３ｂよりも内側の範囲に配してもよい。これにより、さらに底版２の端部２ａにおける発熱量を少なくすることができる。よって、やはり、第１実施形態と同様に、従来と比較し、底版２の端部２ａ側における電気ヒータ８の発熱量を少なくすることができ、これにより、底部ヒータとして電気ヒータ８を用いた場合であっても、底版２の中央部２ｂ側に生じる軸引張力を緩和することができ、この軸引張力を打ち消すためのＰＣ鋼材１０の配置数を削減することが可能になる。
【符号の説明】
【００３２】
１      低温液体
２      底版
２ａ    端部（周端部）
２ｂ    中央部
３      防液堤
３ａ    下端部
３ｂ    外面
３ｃ    内面
４      貯槽
５      屋根
６      保冷材
８      電気ヒータ（底部ヒータ）
８ａ    一端
８ｂ    他端
９      接続端子
１０    ＰＣ鋼材
１１    電気ヒータ
Ａ      従来の低温液体貯蔵用タンク
Ｂ      低温液体貯蔵用タンク
Ｃ      低温液体貯蔵用タンク
Ｏ１    軸
【図１】
2014015963.tif 000003
【図２】
2014015963.tif 000004
【図３】
2014015963.tif 000005
【図４】
2014015963.tif 000006
【図５】
2014015963.tif 000007